(57)【要約】【課題】複数の工事現場でそれぞれ大きな電力が必要な状況で、各発電装置が過負荷になって停電する事態を確実に防止しつつ、燃料費を抑えることができるエンジン発電システムを提供すること。【解決手段】エンジン発電システム１では、各発電装置１０〜５０が母線Ｌ１に並列的に接続されている。各発電装置１０〜５０に、発電装置１０〜５０を並列運転させる制御回路１５〜５５が組み込まれ、各制御回路１５〜５５に、発電する発電装置の数を増減させる台数制御運転を行う台数制御運転回路１５ａと、運転中の発電装置を全て発電させる強制運転を行う強制運転回路１５ｂが設けられている。台数制御運転と強制運転を手動で切換え可能な遠方操作盤６０に、強制運転を行う強制運転時間を入力可能な時間入力部６４が設けられ、時間入力部６４に入力された強制運転時間に基づいて、台数制御運転と強制運転を自動で切換え可能な自動切換制御部６２が設けられている。【選択図】  図５
2015070780.tif 000002
【特許請求の範囲】
【請求項１】
複数の工事現場で用いる電力駆動装置に電力を供給するための供給ラインが設けられ、
エンジンで発電機を駆動して発電する複数の発電装置が前記供給ラインに並列的に接続され、
前記各発電装置には、複数の発電装置を並列運転させる制御回路が組み込まれていて、
前記各制御回路には、運転中の発電装置の負荷率に応じて発電させる発電装置の数を増減させる台数制御運転を行う台数制御運転回路と、運転中の発電装置を全て発電させる強制運転を行う強制運転回路とが設けられ、
前記各発電装置に接続されていて台数制御運転と強制運転とを手動で切換え可能な遠方操作盤が設けられているエンジン発電システムにおいて、
前記遠方操作盤には、強制運転を行う強制運転時間又は台数制御運転を行う台数制御運転時間を入力可能な時間入力部が設けられ、前記時間入力部に入力された強制運転時間又は台数制御運転時間に基づいて、台数制御運転と強制運転とを自動で切換え可能な自動切換制御部が設けられていることを特徴とするエンジン発電システム。
【請求項２】
請求項１に記載されたエンジン発電システムにおいて、
前記時間入力部は、台数制御運転で前記複数の発電装置の中から最初に発電させる発電装置を切換えるための切換時間を入力できるように設定されていて、
前記自動切換制御部は、前記時間入力部に入力された切換時間毎に、台数制御運転で最初に発電させる発電装置を順番に切換えることを特徴とするエンジン発電システム。
【請求項３】
請求項１又は請求項２に記載されたエンジン発電システムにおいて、
前記複数の発電装置は、少なくとも１つの予備の発電装置を有し、前記予備の発電装置が停止しているときに前記複数の工事現場で想定される最大負荷電力を供給できるように設けられていることを特徴とするエンジン発電システム。
【請求項４】
請求項１乃至請求項３の何れかに記載されたエンジン発電システムにおいて、
前記遠方操作盤は、自動モードのオンとオフを選択可能な自動モードスイッチを有していて、
前記自動切換制御部は、工事期間の各日にちにおいて台数制御運転を行う時間帯と強制運転を行う時間帯の変動パターンを記憶していて、前記自動モードスイッチがオンに選択されると、前記変動パターンに基づいて台数制御運転と強制運転とを自動で切換えることを特徴とするエンジン発電システム。
【発明の詳細な説明】
【技術分野】
【０００１】
本発明は、複数の発電装置を並列運転させて複数の工事現場に発電した電力を供給するエンジン発電システムに関し、特に、各工事現場における全体の負荷電力の大きな変動に対応できるエンジン発電システムに関する。
【背景技術】
【０００２】
近年、経済が活性している地域では、高層マンションの建設や橋桁の架設等、多くの公共施設の工事が一斉に行われている。例えば、高層マンションを建設する場合には、タワークレーン、コンクリートプラント、電子機器、照明等の電力駆動装置を用いるため、大きな電力が必要になる。そして、大きなプロジェクトになると、特定の地域の中で、複数の高層マンションがほとんど同時期に建設される。このため、大きな電力をそれぞれの工事現場に供給できる電力供給源が求められる。
【０００３】
従来、電力供給源としてエンジンで発電機を駆動して発電する発電装置を用い、一つの工事現場（高層マンション）に対して一つの発電装置を設けて、電力の供給を確保している。つまり、複数の高層マンションを建設する場合には、工事現場毎にそれぞれ発電装置を設けている。そして、各発電装置は、その発電量が対応する工事現場で必要な最大負荷電力に合うように、選定されている。こうして、各発電装置が過負荷になることがなく、各工事現場で停電しないようになっている。しかし、一つの発電装置で一つの工事現場で必要な電力をまかなっているため、仮にその発電装置が故障すると、その工事現場の工事が中止するという問題点があった。
【０００４】
ここで、下記特許文献１には、本出願人によるエンジン発電システムが記載されている。このエンジン発電システムでは、図１０に示すように、同一の負荷装置Ｈ１に電力を供給するための母線Ｊ１が設けられていて、この母線Ｊ１に複数の発電装置１１０，１２０，１３０が並列的に接続されている。そして、各発電装置１１０，１２０，１３０は、発電装置１１０，１２０，１３０を並列運転させる制御回路１１５，１２５，１３５を組み込んでいて、図１１に示すように、それぞれ遠方操作盤１６０に接続されている。なお、並列運転とは、並列的に接続されている発電装置１１０，１２０，１３０を発電させて、母線Ｊ１に電力を供給する運転である。
【０００５】
このエンジン発電システム１０１では、各制御回路１１５、１２５，１３５によって、並列運転のうち台数制御運転又は強制運転ができるようになっている。台数制御運転とは、運転中の発電装置１１０，１２０，１３０の負荷率に応じて発電させる発電装置１１０，１２０，１３０の数を増減させる運転である。強制運転とは、運転中の発電装置１１０，１２０，１３０を全て発電させる運転である。各遠方操作盤１６０には、台数制御運転又は強制運転を行うための自動運転スイッチ１６３ａ及び強制運転スイッチ１６３ｂが設けられている。
【０００６】
こうして、負荷装置Ｈ１の負荷電力の変動が緩やかな状況では、各自動運転スイッチ１６３ａを「入」にしたまま、各強制運転スイッチ１６３ｂを「切」に切換えることで、台数制御運転を行う。例えば、先行機（最初に発電する発電装置）として発電装置１１０のみが発電しているときに、負荷装置Ｈ１の負荷電力が増加して、発電装置１１０の負荷率が第１上昇基準値を超えると、起動順序が２番目である発電装置１２０が、母線Ｊ１の電圧、周波数、位相が一致するように同期運転を始める。
【０００７】
そして、同期運転が完了すると、発電装置１２０が発電した電力を母線Ｊ１を介して負荷装置Ｈ１に供給することができる。その後、負荷装置Ｈ１の負荷電力が更に増加して、発電装置１１０，１２０の負荷率が第２上昇基準値を超えると、起動順序が３番目である発電装置１３０が同期運転を始めて、発電装置１３０の電力も負荷装置Ｈ１に供給することができる。
【０００８】
一方、負荷装置Ｈ１の負荷電力が減少して、発電装置１１０，１２０，１３０の負荷率が第１下降基準値を下回ると、発電装置１３０が休止し、負荷装置Ｈ１の負荷電力が更に減少して、発電装置１１０，１２０の負荷率が第２下降基準値を下回ると、発電装置１２０が休止する。このように、台数制御運転を行うことで、負荷装置Ｈ１の負荷電力が小さい状況にも拘わらず、多くの発電装置が過剰に発電し続けることを防止できる。この結果、燃料費を抑えることができるようになっている。
【先行技術文献】
【特許文献】
【０００９】
【特許文献１】特開２００９−１５３２５９号公報
【発明の概要】
【発明が解決しようとする課題】
【００１０】
ここで、複数の高層マンションを建設する場合、複数の工事現場にそれぞれ大きな電力を供給するために、上記特許文献１に記載されているエンジン発電システム１０１を適用することが考えられる。このエンジン発電システム１０１を適用すれば、複数の発電装置が並列運転することによって、各工事現場で必要な電力をまかなうことができる。これにより、仮に一つの発電装置が故障して停止しても、故障した発電装置に対応する工事現場で電力が供給されなくなる事態を防止でき、その工事現場の工事が中止することを防止できる。しかし、エンジン発電システム１０１を適用したとしても、以下の問題点がある。
【００１１】
即ち、複数の高層マンションをほとんど同時期に建設するような場合、用いる電動駆動装置の数が多くて、各工事現場全体における負荷電力（以下、「全体負荷電力」と呼ぶ）の変動が非常に大きい。しかし、台数制御運転によって発電する発電装置の数が増えるとき、エンジンの始動から同期運転が完了するまでに所定時間必要である。このため、同期運転が完了するまでの所定時間の間に、全体負荷電力が急上昇すると、運転中の発電装置が供給できる電力を超えるおそれがある。
【００１２】
この結果、台数制御運転では、運転中の各発電装置が過負荷になり、最悪の事態として各工事現場で停電が発生する可能性がある。一方、予め強制運転を行っていれば、運転中の全ての発電装置が直ぐに発電できるため、全体負荷電力の急上昇に対応できる。しかし、強制運転を続けていると全体負荷電力の変動が緩やかになったときに過剰運転になる。過剰運転では、燃料費が高くなると共に、各発電装置が軽負荷で運転するため、エンジンから未燃焼ガスが発生して故障が生じ易くなる。こうして、全体負荷電力の大きな変動に対応して、強制運転と台数制御運転とを効率的に行うことが難しいという問題点があった。
【００１３】
そこで、本発明は上記した問題点を解決するためになされたものであり、複数の工事現場でそれぞれ大きな電力が必要な状況において、各発電装置が過負荷になって停電する事態を確実に防止しつつ、燃料費を抑えることができるエンジン発電システムを提供することを目的とする。
【課題を解決するための手段】
【００１４】
本発明に係るエンジン発電システムは、複数の工事現場で用いる電力駆動装置に電力を供給するための供給ラインが設けられ、エンジンで発電機を駆動して発電する複数の発電装置が前記供給ラインに並列的に接続され、前記各発電装置には、複数の発電装置を並列運転させる制御回路が組み込まれていて、前記各制御回路には、運転中の発電装置の負荷率に応じて発電させる発電装置の数を増減させる台数制御運転を行う台数制御運転回路と、運転中の発電装置を全て発電させる強制運転を行う強制運転回路とが設けられ、前記各発電装置に接続されていて台数制御運転と強制運転とを手動で切換え可能な遠方操作盤が設けられているものであって、前記遠方操作盤には、強制運転を行う強制運転時間又は台数制御運転を行う台数制御運転時間を入力可能な時間入力部が設けられ、前記時間入力部に入力された強制運転時間又は台数制御運転時間に基づいて、台数制御運転と強制運転とを自動で切換え可能な自動切換制御部が設けられていることを特徴とする。
【００１５】
本発明に係るエンジン発電システムによれば、作業員が、例えば一日のうち各工事現場全体における負荷電力（全体負荷電力）の変動を把握しておく。そして、遠方操作盤の時間入力部に対して、全体負荷電力が急上昇する時間を強制運転時間として予め入力しておく。これにより、一日のうち強制運転時間になると、遠方操作盤の自動切換制御部が、強制運転を行うように自動で切換える。こうして、全体負荷電力が急上昇しても、運転中の全ての発電装置が直ぐに発電できるため、全体負荷電力の急上昇に対応できる。この結果、各発電装置が過負荷になって停電する事態を確実に防止できる。
【００１６】
一方、一日のうち強制運転時間以外の時間になると、遠方操作盤の自動切換制御部が、台数制御運転を行うように自動で切換える。これにより、全体負荷電力の緩やかな変動に応じて、発電させる発電装置の数が負荷率に応じて増減する。このため、発電装置の負荷率が小さい状況にも拘わらず、多くの発電装置が過剰に発電し続ける過剰運転を防止できて、燃料消費量の減少により燃料費を抑えることができる。
【００１７】
また、本発明に係るエンジン発電システムにおいて、前記時間入力部は、台数制御運転で前記複数の発電装置の中から最初に発電させる発電装置を切換えるための切換時間を入力できるように設定されていて、前記自動切換制御部は、前記時間入力部に入力された切換時間毎に、台数制御運転で最初に発電させる発電装置を順番に切換えると良い。
この場合には、作業員が、遠方操作盤の時間入力部に対して、例えば１日のうち午前０時を切換時間として予め入力しておく。これにより、毎日午前０時になると、台数制御運転で最初に発電する発電装置が自動で切換わる。このため、工事期間全体で見ると、複数の発電装置の中で各発電装置の稼働時間が平均化される。この結果、各発電装置の燃料補給及びメンテナンスのタイミングのバラツキを解消でき、整備性を向上させることができる。
【００１８】
また、本発明に係るエンジン発電システムにおいて、前記複数の発電装置は、少なくとも１つの予備の発電装置を有し、前記予備の発電装置が停止しているときに前記複数の工事現場で想定される最大負荷電力を供給できるように設けられていると良い。
この場合には、或る期間では、１番目の発電装置を予備の発電装置として停止して整備を行いつつ、その他の発電装置を並列運転させる。また、別の期間では、２番目の発電装置を予備の発電装置として整備を行いつつ、その他の発電装置を並列運転させる。こうして、複数の発電装置のうち、予備の発電装置を順番に停止させて、整備者の都合が良い時間で整備を行うことができる。
更に、複数の発電装置のうち或る発電装置が故障したときには、予備の発電装置で補うことができる。このため、複数の発電装置に対応してそれぞれ予備の発電装置を設ける必要がなくて、少なくとも１つの予備の発電装置で、複数の発電装置全体のバックアップができる。こうして、安価に信頼度が高いエンジン発電システムを構成できる。
【００１９】
また、本発明に係るエンジン発電システムにおいて、前記遠方操作盤は、自動モードのオンとオフを選択可能な自動モードスイッチを有していて、前記自動切換制御部は、工事期間の各日にちにおいて台数制御運転を行う時間帯と強制運転を行う時間帯の変動パターンを記憶していて、前記自動モードスイッチがオンに選択されると、前記変動パターンに基づいて台数制御運転と強制運転とを自動で切換えても良い。
この場合には、工事予定表や過去の工事の状況に基づいて、工事期間の各日にちにおいて、台数制御運転を行う時間帯と強制運転を行う時間帯の変動パターンが最適に決定されているとき、作業者は、この変動パターンを自動切換制御部に予め入力して記憶させておく。これにより、自動モードスイッチをオンに選択すれば、工事期間の各日にちにおいて、台数制御運転と強制運転とを最適なタイミングで自動に切換えることができる。
【発明の効果】
【００２０】
本発明のエンジン発電システムによれば、複数の工事現場でそれぞれ大きな電力が必要な状況において、各発電装置が過負荷になって停電する事態を確実に防止しつつ、燃料費を抑えることができる。
【図面の簡単な説明】
【００２１】
【図１】第１実施形態のエンジン発電システムの全体構成図である。
【図２】図１の各発電装置と各工事現場との関係を模式的に示した図である。
【図３】各発電装置と各工事現場の接続回路を模式的に示した図である。
【図４】遠方操作盤の操作パネルを示した正面図である。
【図５】遠方操作盤と各発電装置との接続回路を模式的に示した図である。
【図６】１日の中で全体負荷電力の変動を示した図である。
【図７】第２実施形態の遠方操作盤の操作パネルを示した正面図である。
【図８】工事期間の中で全体負荷電力の最大値の変動を模式的に示した図である。
【図９】自動切換制御部が記憶する変動パターンを示した図である。
【図１０】従来のエンジン発電システムにおいて各発電装置と負荷装置との関係を模式的に示した図である。
【図１１】従来のエンジン発電システムにおいて各遠方操作盤と各発電装置との接続回路を模式的に示した図である。
【発明を実施するための形態】
【００２２】
＜第１実施形態＞
本発明に係るエンジン発電システムの各実施形態について、図面を参照しながら説明する。図１は、第１実施形態のエンジン発電システム１の全体構成図である。エンジン発電システム１は、図１に示すように、５台の発電装置１０，２０，３０，４０，５０と遠方操作盤６０とを備え、全体として大きな電力を発電可能なパワーステーションになっている。図２は、図１の各発電装置１０〜５０と各工事現場Ｋ１〜Ｋ５との関係を模式的に示した図である。
【００２３】
各発電装置１０，２０，３０，４０，５０は、図２に示すように、複数の工事現場Ｋ１，Ｋ２，Ｋ３，Ｋ４，Ｋ５の電力駆動装置に電力を供給するものである。各工事現場Ｋ１〜Ｋ５では、それぞれ高層マンションを約１〜２年の工事期間で同時期に建設するプロジェクトが進行していて、高層マンションを建設するために電力駆動装置が稼働している。電力駆動装置は、タワークレーン７１、コンクリートプラント７２、現場事務所の照明７３やパソコン７４、屋外照明７５、鉄筋加工機、溶接機等である。これら各電力駆動装置７１〜７５全体を意味するときには、電力駆動装置７０と呼ぶことにする。
【００２４】
各発電装置１０〜５０は、各工事現場Ｋ１〜Ｋ５にそれぞれ一つずつ配置されるものではなく、一箇所にまとめて配置されている。そして、図２に示すように、各発電装置１０〜５０は、供給ラインとしての母線Ｌ１に並列的に接続されていて、各発電装置１０〜５０が発電した電力は、母線Ｌ１を介して各工事現場Ｋ１〜Ｋ５の電力駆動装置７０に供給することができる。この母線Ｌ１によって、動力配線を共通化して、無駄な動力配線を省いている。１台の発電装置の発電量は約３００ｋＷであり、エンジン発電システム１全体として、約１５００ｋＷの電力を発電することができる。ここで、図３は、各発電装置１０〜５０と各工事現場Ｋ１〜Ｋ５の接続回路を模式的に示した図である。
【００２５】
各発電装置１０〜５０は、図３に示すように、同様の構成であり、エンジン１１，２１，３１，４１，５１で発電機１２，２２，３２，４２，５２を駆動して発電するようになっている。発電機１２，２２，３２，４２，５２と出力端子１３，２３，３３，４３，５３の間には、遮断機１４，２４，３４，４４，５４が設けられていて、各出力端子１３〜５３が母線Ｌ１に接続されている。そして、各発電装置１０〜５０には、複数の発電装置を並列運転させる制御回路１５，２５，３５，４５，５５が組み込まれている。
【００２６】
各制御回路１５〜５５の通信端子１６，２６，３６，４６，５６は、それぞれ信号線Ｓ１，Ｓ２，Ｓ３，Ｓ４で接続されていて、各発電装置１０〜５０の電力、異常の有無、遮断機の状態等のデータが、双方向通信されている。ここで、図４は、遠方操作盤６０の操作パネル６０Ａを示した正面図であり、図５は、遠方操作盤６０と各発電装置１０〜５０との接続回路を模式的に示した図である。
【００２７】
遠方操作盤６０は、各発電装置１０〜５０から離れた位置で、各発電装置１０〜５０の運転及び停止を遠隔操作するものである。この遠方操作盤６０によって、各発電装置１０〜５０の集中管理を行うことができる。但し、各発電装置１０〜５０のコントロールパネル（図示省略）に設けられている運転スイッチや停止スイッチを操作することによっても、各発電装置１０〜５０を運転及び停止させることができる。遠方操作盤６０と発電装置１０との接続回路と、遠方操作盤６０とその他の発電装置２０，３０，４０，５０との接続回路は同様であるため、遠方操作盤６０と発電装置１０との接続回路を代表して説明する。
【００２８】
図５に示すように、発電装置１０の制御回路１５には、台数制御運転を行うための台数制御運転回路１５ａが設けられている。発電装置１０〜５０の並列運転の中には台数制御運転と強制運転とがあり、台数制御運転とは、運転中の発電装置１０〜５０の負荷率に応じて発電させる発電装置１０〜５０の数を増減させる運転である。また、制御回路１５には、強制運転を行うための強制運転回路１５ｂが設けられている。強制運転とは、運転中の発電装置１０〜５０を全て発電させる運転である。また、制御回路１５には、発電装置１０を非常停止させる非常停止回路１５ｃと、遠方操作盤６０の発電中表示灯６０ｄを点灯させるための補助接点１５ｄが設けられている。
【００２９】
一方、遠方操作盤６０は、制御回路１５の各制御信号入出力部１５ｅに各通信ケーブル６１を介して有線接続されている。そして、遠方操作盤６０には、台数制御運転回路１５ａに対応した台数制御運転接点６０ａと、強制運転回路１５ｂに対応した強制運転接点６０ｂと、非常停止回路１５ｃに対応した非常停止接点６０ｃと、補助接点１５ｄがオンになったときに点灯する発電中表示灯６０ｄとが設けられている。また、遠方操作盤６０に設けられている自動切換制御部６２が、台数制御運転接点６０ａと強制運転接点６０ｂのオンとオフを切換えて、台数制御運転又は強制運転を行うことができるようになっている。なお、遠方操作盤６０と制御回路１５の有線接続に換えて、遠方操作盤６０と制御回路１５にそれぞれ無線通信機を接続して、遠方操作盤６０と制御回路１５とを無線接続しても良い。
【００３０】
また、図４に示すように、遠方操作盤６０の操作パネル６０Ａには、発電装置１０に対して、手動で台数制御運転又は強制運転を行うための自動運転スイッチ６３ａ及び強制運転スイッチ６３ｂが設けられている（図４の最も左側のスイッチ６３ａ，６３ｂ）。これにより、発電装置１０を手動によって台数制御運転させる場合には、自動運転スイッチ６３ａを「入」に切換える。この結果、台数制御運転接点６０ａがオンになって、発電装置１０の台数制御運転が開始される。
【００３１】
また、発電装置１０を手動によって強制運転させる場合には、自動運転スイッチ６３ａが「入」に切換えられている状態で、強制運転スイッチ６３ｂを「入」に切換える。これにより、強制運転接点６０ｂがオンになって、発電装置１０の強制運転が開始される。そして、発電装置１０の運転を停止させる場合には、自動運転スイッチ６３ａを「切」に切換えれば良い。発電装置２０〜５０に対する台数制御運転又は強制運転を行う場合についても同様であるため、その説明を省略する。
【００３２】
また、操作パネル６０Ａは、図４及び図５に示すように、各発電装置１０〜５０に対応して、発電中表示灯６０ｄを有すると共に、先行機表示灯６０ｅを有している。ここで、先行機とは、台数制御運転で発電装置１０〜５０の中から、最初に発電する発電装置を意味する。このため、例えば発電装置１０が先行機である場合には、発電装置１０に対応する先行機接点６０ｆがオンになって、発電装置１０に対応する先行機表示灯６０ｅが点灯している。この操作パネル６０Ａでは、各発電装置１０〜５０のうち先行機になる発電装置を手動で選択できるようになっている。
【００３３】
即ち、操作パネル６０Ａは、先行機を手動又は自動で切換えるための切換スイッチ６３ｃを有すると共に、各発電装置１０〜５０に対応して、先行機を選択するための各選択スイッチ６３ｄを有している。こうして、例えば、発電装置１０を先行機に選択する場合には、図４に示すように、先ず切換スイッチ６３ｃを「手動」に切換える。そして、発電装置１０に対応する選択スイッチ６３ｄのみを「入」に切換え、残りの発電装置２０〜５０に対応する選択スイッチ６３ｄを「切」に切換える。これにより、発電装置１０に対応する先行機接点６０ｆがオンになって、自動切換制御部６２が発電装置１０を先行機として稼働させる。
【００３４】
また、操作パネル６０Ａには、図４に示すように、発電装置１０〜５０全ての運転を非常停止させるための非常停止スイッチ６３ｅが設けられている。非常停止スイッチ６３ｅが押圧されると、遠方操作盤６０の非常停止接点６０ｃがオンになって、全ての発電装置１０〜５０の運転が非常停止される。なお、非常停止スイッチ６３ｅが一つだけ設けられているが、各発電装置１０〜５０にそれぞれ対応する非常停止スイッチが設けられていても良い。また、発電装置１０にはバッテリ１７が搭載されていて、このバッテリ１７を遠方操作盤６０の電源とすることができる。
【００３５】
ここで、本実施形態のエンジン発電システム１では、５台の発電装置１０〜５０のうち１台の発電装置が予備の発電装置になっていて、予備の発電装置が停止しているときに、工事現場Ｋ１〜Ｋ５で想定される最大負荷電力を供給できるようになっている。つまり、各工事現場Ｋ１〜Ｋ５の電力駆動装置７０が稼働するときの最大負荷電力は、１２００ｋＷ以下であることが予め判明している。このため、４台の発電装置が全て負荷率１００％で発電すれば１２００ｋＷの電力を供給できるため、１台の発電装置を予備の発電装置として稼働させなくて済む。こうして、５台の発電装置１０〜５０のうち、４台の発電装置を稼働させながら、常に１台の予備の発電装置を停止させおき、予備の発電装置に対して燃料補給及びメンテナンスを行うことができる。
【００３６】
例えば、或る期間では、発電装置１０を予備の発電装置として停止して整備を行いつつ、その他の発電装置２０〜５０を並列運転させる。また、別の期間では、発電装置２０を予備の発電装置として停止して整備を行いつつ、その他の発電装置１０，３０〜５０を並列運転させる。こうして、発電装置１０〜５０を順番に停止させて、整備者の都合が良
い時間で整備を行うことができる。更に、発電装置１０〜５０のうち或る発電装置が故障したときには、予備の発電装置で補うことができる。つまり、複数の発電装置１０〜５０に対応してそれぞれ予備の発電装置を設ける必要がなく、１台の予備の発電装置で、５台の発電装置１０〜５０全体のバックアップができる。こうして、安価に信頼度が高いエンジン発電システム１を構成できる。なお、以下では、状況を分かり易くするために、発電装置５０を予備の発電装置として停止させている状況で説明する。
【００３７】
次に、４台の発電装置１０〜４０を台数制御運転又は強制運転させる状況を一例として説明する。先ず、発電装置１０を先行機として指定するために、図４に示すように、切換スイッチ６３ｃを「手動」に切換え、発電装置１０に対応する選択スイッチ６３ｄのみを「入」に切換える。そして、発電装置１０〜４０に対応する自動運転スイッチ６３ａを「入」に切換えると共に、発電装置１０〜４０に対応する強制運転スイッチ６３ｂを「切」に切換える。
【００３８】
これにより、先行機である発電装置１０が発電した電力が各工事現場Ｋ１〜Ｋ５の電力駆動装置７０に供給される。その後、各工事現場Ｋ１〜Ｋ５全体における負荷電力（以下、「全体負荷電力」と呼ぶ）が上昇して、運行中の発電装置１０の負荷率が第１上昇基準値を超えると、起動順序が２番目である発電装置２０が同期運転を始める。発電装置２０の同期運転では、発電装置２０の電圧、周波数、位相が母線Ｌ１の電圧、周波数、位相と一致すると、遮断機２４（図３参照）が閉じられる。こうして、発電装置２０の同期運転が完了すると、発電装置２０が発電した電力を母線Ｌ１を介して、各工事現場Ｋ１〜Ｋ５の電力駆動装置７０に供給される。
【００３９】
その後、同様に、全体負荷電力が上昇して、運行中の発電装置１０，２０の負荷率が第２上昇基準値を超えると、起動順序が３番目である発電装置３０が同期運転を始め、発電装置３０が発電した電力も電力駆動装置７０に供給できる。そして、運行中の発電装置１０，２０，３０の負荷率が第３上昇基準値を超えると、起動順序が４番目である発電装置４０が同期運転を始め、発電装置４０が発電した電力も電力駆動装置７０に供給できる。
【００４０】
一方、全体負荷電力が減少して、運行中の発電装置１０，２０，３０，４０の負荷率が第１下降基準値を下回ると、起動順序が最も遅い発電装置４０では、遮断機４４（図３参照）が開いて、発電装置４０が発電した電力が電力駆動装置７０に供給されなくなる。このとき、発電装置４０は待機状態として休止する。その後、同様に、全体負荷電力が減少して、運行中の発電装置１０，２０，３０の負荷率が第２下降基準値を下回ると、起動順序が２番目に遅い発電装置３０が発電した電力が、電力駆動装置７０に供給されなくなる。そして、運行中の発電装置１０，２０の負荷率が第３下降基準値を下回ると、起動順序が３番目に遅い発電装置２０が発電した電力が、電力駆動装置７０に供給されなくなる。
【００４１】
こうして、台数制御運転では、全体負荷電力の変動に応じて発電装置１０〜４０の稼働数を変動させるため、全体負荷電力が小さい状況にも拘わらず、発電装置１０〜４０が過剰運転することを防止できる。これにより、燃料消費量を減少させて、燃料費を抑えることができる。これに対して、強制運転させる場合には、発電装置１０〜４０に対応する強制運転スイッチ６３ｂを「入」に切換えておく。これにより、運転中の発電装置１０〜４０が全て発電して、各工事現場Ｋ１〜Ｋ５の電力駆動装置７０に電力を供給できる。こうして、強制運転では、運転中の全ての発電装置１０〜４０が直ぐに発電できるため、全体負荷電力の急上昇に対応できる。
【００４２】
ところで、各工事現場Ｋ１〜Ｋ５では、それぞれマンションをほとんど同時期に建設し、用いる電力駆動装置７０の数も多いため、全体負荷電力の変動が非常に大きい。しかし、上述したように台数制御運転によって発電する発電装置１０〜４０の数が増えると
き、同期運転が完了するまでに所定時間が必要である。このため、同期運転が完了するま
での所定時間の間に、全体負荷電力が急上昇すると、運転中の発電装置１０〜４０が供給できる電力を超えるおそれがある。一方、予め強制運転を行っていれば、全体負荷電力の急上昇に対応できるが、強制運転を続けていると全体負荷電力の変動が緩やかになったときに過剰運転になるという問題点がある。
【００４３】
更に、従来のエンジン発電システムでは、台数制御運転で最初に発電する発電装置（先行機）と、発電装置を起動させる順序が固定されていた。このため、仮に先行機を発電装置１０として台数制御運転を行うと、約１年〜２年の工事期間全体で見れば、発電装置１０の稼働時間が非常に多くなる。つまり、各発電装置１０〜５０の稼働時間のバラツキが非常に大きくなる。こうして、各発電装置１０〜５０の燃料補給及びメンテナンスを行うタイミングが予測し難く、整備性が良くないという問題点もあった。
【００４４】
そこで、本実施形態のエンジン発電システム１では、上記した問題点を解消すべく、以下のように構成されている。図４に示すように、遠方操作盤６０の操作パネル６０Ａには、強制運転を行う強制運転時間を入力可能な時間入力部６４が設けられている。時間入力部６４では、作業員によって、１日のうち強制運転を開始する時間と強制運転を終了する時間が、強制運転時間として入力される。なお、１日のうち強制運転時間以外が、台数制御運転される時間に設定される。こうして、自動切換制御部６２は、入力された強制運転時間に基づいて、強制運転接点６０ｂ及び台数制御運転接点６０ａのオンとオフを切換えて、強制運転と台数制御運転とを自動で切換えることができる。
【００４５】
ここで、図６は、１日の中で全体負荷電力の変動を示した図である。各工事現場Ｋ１〜Ｋ５の全体負荷電力は図６に示すように変動することが、予め想定されている。即ち、始業時間である８時から９時までの間は、多くの電力駆動装置７０が稼働し始めるため、全体負荷電力が急上昇する。この間では、仮に台数制御運転を行うと、全体負荷電力は運転中の発電装置１０〜４０が供給できる電力を超えるおそれがあるため、強制運転を行う必要がある。
【００４６】
次に、９時から昼休み開始の１２時までの間は、全体負荷電力の変動は比較的小さい。この間では、仮に強制運転を行うと、各発電装置１０〜４０の負荷率が低くて過剰運転になるおそれがあるため、台数制御運転を行うと良い。また、１２時から１３時の昼休みの間は、多くの電力駆動装置７０が停止するため、全体負荷電力が急に減少するが、このときにも台数制御運転を行うことで、燃料費を抑えることができる。
【００４７】
続いて、昼休み終了の１３時から１４時までの間は、多くの電力駆動装置７０が稼働し始めるため、全体負荷電力が急上昇する。この間では、強制運転を行う必要がある。最後に、１４時から終業時間である１７時の直前まで、全体負荷電力の変動は比較的小さいため、台数制御運転を行うと良い。そして、終業時間になると、多くの電力駆動装置７０が停止するため、全体負荷電力が急に減少する。このときにも台数制御運転を行うことで、燃料費を抑えることができる。
【００４８】
こうして、第１実施形態のエンジン発電システム１では、作業員が、操作パネル６０Ａの時間入力部６４に対して、８時から９時までの間、及び１３時から１４時までの間を強制運転時間として予め入力しておく。なお、工事を行なわない休日で、全体負荷電力の変動が１日中小さいことが判明している場合には、作業員は強制運転時間を入力せずに、台数制御運転を１日中行えば良い。
【００４９】
また、本実施形態の時間入力部６４では、作業員によって、台数制御運転で先行機を切換えるための切換時間を入力できるようになっている。自動切換制御部６２は、時間入力部６４に入力された切換時間毎に、運転中の発電装置の中から先行機を順番に切換えるように構成されている。例えば、上述したように台数制御運転で先行機が発電装置１０であるとき、自動切換制御部６２は、切換時間が経過すると、先行機を発電装置２０に設定し、起動順序が２番目の発電装置を発電装置３０に設定し、起動順序が３番目の発電装置を発電装置４０に設定し、起動順序が４番目の発電装置を前回先行機であった発電装置１０に設定する。
【００５０】
その後、自動切換制御部６２は、切換時間が経過すると、先行機を発電装置３０に設定し、起動順序が２番目の発電装置を発電装置４０に設定し、起動順序が３番目の発電装置を発電装置１０に設定し、起動順序が４番目の発電装置を前回先行機であった発電装置２０に設定する。以後同様に、先行機が切換時間毎に切換えられる。但し、自動切換制御部６２は、切換スイッチ６３ｃが「自動」に切換えられているときにのみ、先行機を順番に切換えるようになっている。
【００５１】
第１実施形態の作用効果について説明する。
第１実施形態のエンジン発電システム１によれば、８時になると、自動切換制御部６２が強制運転を行うように自動で切換えて、９時まで強制運転を続けた後、台数制御運転に自動で切換える。その後、１３時になると、自動切換制御部６２が強制運転を行うように自動で切換えて、１４時まで強制運転を続けた後、台数制御運転に自動で切換える。
【００５２】
こうして、全体負荷電力が急上昇する時間帯では、運転中の全ての発電装置１０〜４０が直ぐに発電できるため、全体負荷電力の急上昇に対応できる。この結果、各発電装置１０〜４０が過負荷になって停電する事態を確実に防止できる。一方、全体負荷電力が緩やかに変動する時間帯では、発電させる発電装置１０〜４０の数が負荷率に応じて増減する。このため、発電装置１０〜４０の負荷率が小さい状況にも拘わらず、多くの発電装置１０〜４０が発電し続ける過剰運転を防止でき、燃料費を抑えることができる。更に、発電装置１０〜４０の負荷率が小さい状況で強制運転が行われなくなるため、各発電装置１０〜４０が軽負荷で運転することを防止できる。従って、各発電装置１０〜４０のエンジンから未燃焼ガスの発生を抑制して、故障を生じ難くできる。
【００５３】
また、第１実施形態のエンジン発電システム１によれば、作業員が、操作パネル６０Ａの時間入力部６４に対して、例えば１日のうち午前０時を切換時間として入力しておく。これにより、毎日午前０時になると、発電装置１０〜４０のうち先行機が自動で切換わる。このため、約１年〜２年の工事期間全体で見ると、発電装置１０〜４０の中で各発電装置の稼働時間が平均化される。この結果、各発電装置１０〜４０の燃料補給及びメンテナンスのタイミングのバラツキを解消でき、整備性を向上させることができる。
【００５４】
従来方法と、第１実施形態のエンジン発電システム１とを用いた場合について、燃料費を比較して説明する。従来方法では、全体負荷電力の急上昇に対して停電する事態を確実に防止するため、４台の発電装置１０〜４０を１日（８時間）常に強制運転できる状態にしている。このとき、４台の発電装置１０〜４０は、１日のうち４時間発電して、負荷率が２５％であったとする。１台の発電装置において負荷率が２５％で発電したとき、燃料消費量は毎時２９．８リットルである。このため、従来方法では、１日につき、２９．８×４時間×４台＝４７６．８リットルの燃料が消費される。
【００５５】
一方、エンジン発電システム１では、４台の発電装置１０〜４０全体で強制運転と台数制御運転とを効率的に行い、１台のパワーステーションで運転したと仮定できる。１台のパワーステーションは、１日のうち４時間発電して、負荷率が１００％であったとする。１台のパワーステーションにおいて負荷率が１００％で発電したとき、燃料消費量は毎時９５．２リットルである。このため、エンジン発電システム１では、１日につき、９５．２×４時間×１台＝３８０．８リットルの燃料が消費される。こうして、従来方法とエンジン発電システム１とでは、１日につき９６リットルの燃料消費量の差が生じる。１リットルの燃料を１００円と仮定すると、１日につき９６００円の差が生じる。この結果、工事期間の１年につき、９６００円×３６５日＝３５０４０００円の燃料費を節約することができる。
【００５６】
＜第２実施形態＞
次に、第２実施形態について説明する。第２実施形態では、第１実施形態と異なる部分を中心に説明し、同様の部分についての説明は省略する。図７は、第２実施形態の遠方操作盤６０Ｘの操作パネル６０Ｙを示した正面図である。図７に示すように、操作パネル６０Ｙには、自動モードのオンとオフを選択可能な自動モードスイッチ６５が設けられている。
【００５７】
自動モードとは、作業員が時間入力部６４に強制運転を行う強制運転時間を入力しなくても、自動切換制御部６２が工事期間の各日にちにおいて台数制御運転と強制運転とを自動で切換えるモードである。自動モードスイッチ６５が「オン」に選択されると、自動切換制御部６２は、自動モードを実行するようになっている。自動切換制御部６２は、自動モードを実行するために、台数制御運転を行う時間帯と強制運転を行う時間帯の変動パターンＶＰ（図９参照）を記憶している。以下では、変動パターンＶＰについて説明する。
【００５８】
変動パターンＶＰは、工事期間の各日にちにおける全体負荷電力の変動に基づいて決定された複数のパターンである。ここで、建設分野においては、工事予定表や過去の工事の状況等から、工事期間の各日にちにおける全体負荷電力の変動をある程度推測することができる。図８は、工事現場Ｋ１〜Ｋ５の全体負荷電力の最大値の変動を模式的に示した図である。マンションを例えば１年の工事期間で建設する場合、図８に示すように、１カ月で基礎工事を行い、その後の８カ月でクレーン作業及びコンクリート打設を行い、最後の３カ月で内装工事を行うようになっている。そして、クレーン作業では電力が非常に大きく必要になるのに対して、基礎工事では電力が比較的小さくて済む。こうして、図８に示すように、全体負荷電力の最大値が変動することを推測できて、図９に示すように、変動パターンＶＰが決定されている。
【００５９】
図９では、自動切換制御部６２が記憶している変動パターンＶＰとして、ＡパターンとＢパターンとＣパターンが示されている。Ａパターンでは、基礎工事を行うときの各日にちにおいて、台数制御運転を行う時間帯と強制運転を行う時間帯を表わしている。基礎工事では、図８に示すように、全体負荷電力の最大値が比較的小さくて、図９に示すように、全体負荷電力が急上昇する時間帯は、８時から８時半までの間と１３時から１３時半までの間であり、短い時間帯であることが判明している。このため、自動切換制御部６２は、基礎工事の１カ月の各日にちにおいて、８時から８時半までの間と１３時から１３時半までの間の時間帯について強制運転を行う時間帯として記憶し、それ以外の時間帯について台数制御運転を行う時間帯として記憶している。
【００６０】
Ｂパターンは、クレーン作業及びコンクリート打設を行うときの各日にちにおいて、台数制御運転を行う時間帯と強制運転を行う時間帯を表わしている。クレーン作業及びコンクリート打設では、図８に示すように、全体負荷電力の最大値が非常に大きくて、図９に示すように、全体負荷電力が急上昇する時間帯は、８時から１０時までの間と１３時から１５時までの間であり、長い時間帯であることが判明している。このため、自動切換制御部６２は、クレーン作業及びコンクリート打設を行う８カ月の各日にちにおいて、８時から１０時までの間と１３時から１５時までの間について強制運転を行う時間帯として記憶し、それ以外の時間帯について台数制御運転を行う時間帯として記憶している。
【００６１】
Ｃパターンは、内装工事を行うときの各日にちにおいて、台数制御運転を行う時間帯と強制運転を行う時間帯を表わしている。内装工事では、図８に示すように、全体負荷電力の最大値は上述した二つの工事の場合の中間であり、図９に示すように、全体負荷電力が急上昇する時間帯は、８時から９時までの間と１３時から１４時までの間であることが判明している。このため、自動切換制御部６２は、内装工事を行う各日にちにおいて、８時から９時までの間と１３時から１４時までの間について強制運転を行う時間帯として記憶し、それ以外の時間帯について台数制御運転を行う時間帯として記憶している。なお、変動パターンＶＰは、パソコン等の外部入力手段を用いて、工事が始まる前に自動切換制御部６２に予め記憶されるようになっている。
【００６２】
第２実施形態の作用効果について説明する。
工事予定表や過去の工事の状況に基づいて、図９に示す変動パターンＶＰが最適に決定されているときに、作業者はこの変動パターンＶＰを自動切換制御部６２に予め入力して記憶させておく。これにより、自動モードスイッチ６５を「オン」に選択すれば、工事期間の各日にちにおいて、台数制御運転と強制運転とを最適なタイミングで自動に切換えることができる。この結果、遠方操作盤６０Ｘの監視負担を減らすことができる。
【００６３】
以上、本発明に係るエンジン発電システムの各実施形態について説明したが、本発明はこれらの実施形態に限定されることはなく、その趣旨を逸脱しない範囲で様々な変更が可能である。
例えば、各実施形態において、エンジン発電システム１が５台の発電装置１０〜５０を備えるように構成したが、発電装置の台数は６台であっても良く、適宜変更可能である。また、工事現場Ｋ１〜Ｋ５の数は５つに限定されるものではなく適宜変更可能であり、電力駆動装置の種類も各電力駆動装置７１〜７５に限定されるものではない。
【００６４】
また、第１実施形態において、時間入力部６４に対して強制運転時間を入力することで、自動切換制御部６２が強制運転時間に対して強制運転を行い、強制運転時間以外に対して台数制御運転を行ったが、時間入力部６４に対して台数制御運転時間を入力することで、自動切換制御部６２が台数制御運転時間に対して台数制御運転を行い、台数制御運転時間以外に対して強制運転を行っても良い。
また、第１実施形態において、予備の発電装置が１台であったが２台であっても良く、予備の発電装置の台数は適宜変更可能である。
また、第２実施形態において、図９の変動パターンＶＰは、あくまで例示として示したものであり、工事期間の各日にちにおける全体負荷電力の変動に応じて、変動パターンは４種類以上あっても良く、適宜変更可能である。
【符号の説明】
【００６５】
１                                エンジン発電システム
１０〜５０                        発電装置
１１〜５１                        エンジン
１２〜５２                        発電機
１４〜５４                        遮断機
１５〜５５                        制御回路
１５ａ                            台数制御運転回路
１５ｂ                            強制運転回路
６０，６０Ｘ                      遠方操作盤
６０Ａ，６０Ｙ                    操作パネル
６０ａ                            台数制御運転接点
６０ｂ                            強制運転接点
６２                              自動切換制御部
６３ａ                            自動運転スイッチ
６３ｂ                            強制運転スイッチ
６３ｃ                            切換スイッチ
６３ｄ                            選択スイッチ
６４                              時間入力部
６５                              自動モードスイッチ
７０                              電力駆動装置
Ｋ１〜Ｋ５                        工事現場
Ｌ１                              母線
ＶＰ                              変動パターン
【図１】
2015070780.tif 000003
【図２】
2015070780.tif 000004
【図３】
2015070780.tif 000005
【図４】
2015070780.tif 000006
【図５】
2015070780.tif 000007
【図６】
2015070780.tif 000008
【図７】
2015070780.tif 000009
【図８】
2015070780.tif 000010
【図９】
2015070780.tif 000011
【図１０】
2015070780.tif 000012
【図１１】
2015070780.tif 000013
【手続補正書】
【提出日】平成26年10月16日(2014.10.16)
【手続補正１】
【補正対象書類名】特許請求の範囲
【補正対象項目名】全文
【補正方法】変更
【補正の内容】
【特許請求の範囲】
【請求項１】
複数の工事現場で用いる電力駆動装置に電力を供給するための供給ラインが設けられ、
エンジンで発電機を駆動して発電する複数の発電装置が前記供給ラインに並列的に接続され、
前記各発電装置には、複数の発電装置を並列運転させる制御回路が組み込まれていて、
前記各制御回路には、運転中の発電装置の負荷率に応じて発電させる発電装置の数を増減させる台数制御運転を行う台数制御運転回路と、運転中の発電装置を全て発電させる強制運転を行う強制運転回路とが設けられ、
前記各発電装置に接続されていて台数制御運転と強制運転とを手動で切換え可能な遠方操作盤が設けられているエンジン発電システムにおいて、
前記遠方操作盤には、強制運転を行う強制運転時間又は台数制御運転を行う台数制御運転時間を入力可能な時間入力部が設けられ、前記時間入力部に入力された強制運転時間又は台数制御運転時間に基づいて、台数制御運転と強制運転とを自動で切換え可能な自動切換制御部が設けられていることにより、前記強制運転時間になると、運転中の全ての前記発電装置が直ぐに発電できるため、負荷電力の急上昇に対応し、過負荷による停電事態を確実に防止できる一方、前記台数制御運転時間になると、前記発電装置の数が負荷率に応じて増減するため、過剰運転を防止し、燃料費を抑えることができることを特徴とするエンジン発電システム。
【請求項２】
請求項１に記載されたエンジン発電システムにおいて、
前記時間入力部は、台数制御運転で前記複数の発電装置の中から最初に発電させる発電装置を切換えるための切換時間を入力できるように設定されていて、
前記自動切換制御部は、前記時間入力部に入力された切換時間毎に、台数制御運転で最初に発電させる発電装置を順番に切換えることを特徴とするエンジン発電システム。
【請求項３】
請求項１又は請求項２に記載されたエンジン発電システムにおいて、
前記複数の発電装置は、少なくとも１つの予備の発電装置を有し、前記予備の発電装置が停止しているときに前記複数の工事現場で想定される最大負荷電力を供給できるように設けられていることを特徴とするエンジン発電システム。
【請求項４】
請求項１乃至請求項３の何れかに記載されたエンジン発電システムにおいて、
前記遠方操作盤は、自動モードのオンとオフを選択可能な自動モードスイッチを有していて、
前記自動切換制御部は、工事期間の各日にちにおいて台数制御運転を行う時間帯と強制運転を行う時間帯の変動パターンを記憶していて、前記自動モードスイッチがオンに選択されると、前記変動パターンに基づいて台数制御運転と強制運転とを自動で切換えることを特徴とするエンジン発電システム。